(57)【要約】【課題】色の変化を伴う印刷物上の領域であっても測色可能な測色装置、測色方法及びプログラムを提供する。【解決手段】印刷物を読み取った画像を取得する取得部２１と、画像を構成する単位領域毎に、当該単位領域の平坦度を算出する算出部２２と、画像を表示部２４に表示する表示制御部２３と、表示部２４に表示された画像上の任意の位置を指定する入力を受け付ける受付部２６と、任意の位置と平坦度とに基づいて、測色対象領域を設定する設定部２７と、測色対象領域を測色する測色部２８と、を備え、表示制御部２３は、測色対象領域の測色結果を表示部２４に表示する。【選択図】図２
2016176822.tif 000002
【特許請求の範囲】
【請求項１】
印刷物を読み取った画像を取得する取得部と、
前記画像を構成する単位領域毎に、当該単位領域の平坦度を算出する算出部と、
前記画像を表示部に表示する表示制御部と、
前記表示部に表示された画像上の任意の位置を指定する入力を受け付ける受付部と、
前記任意の位置と前記平坦度とに基づいて、測色対象領域を設定する設定部と、
前記測色対象領域を測色する測色部と、を備え、
前記表示制御部は、前記測色対象領域の測色結果を前記表示部に表示する測色装置。
【請求項２】
前記設定部は、前記任意の位置における単位領域の平坦度が閾値以下の場合、当該単位領域を基点として連続し、かつ平坦度が前記閾値以下の単位領域を結合し、前記測色対象領域に設定する請求項１に記載の測色装置。
【請求項３】
前記設定部は、前記任意の位置における単位領域の平坦度が閾値以下の場合、当該単位領域を基点として連続し、かつ平坦度が前記閾値以下の単位領域であって、前記任意の位置における単位領域との距離が予め定められた距離に収まる単位領域を結合し、前記測色対象領域に設定する請求項１に記載の測色装置。
【請求項４】
前記測色部は、前記測色対象領域の測色として、前記測色対象領域を構成する画素の画素値の平均値を取得する請求項１〜３のいずれか１つに記載の測色装置。
【請求項５】
前記表示制御部は、前記任意の位置における単位領域の平坦度が閾値を超える場合、当該単位領域が測色不可領域である旨を前記表示部に表示する請求項１〜４のいずれか１つに記載の測色装置。
【請求項６】
前記平坦度は、標準偏差である請求項１〜５のいずれか１つに記載の測色装置。
【請求項７】
元画像に基づいて基準画像を生成する基準画像生成部と、
前記元画像に基づく印刷物を読み取った読取画像を取得する読取画像取得部と、
前記基準画像を構成する単位領域毎に、当該単位領域の平坦度を算出する算出部と、
前記読取画像を表示部に表示する表示制御部と、
前記表示部に表示された読取画像上の任意の位置を指定する入力を受け付ける受付部と、
前記任意の位置と前記平坦度とに基づいて、前記基準画像上に測色対象領域を設定する設定部と、
前記測色対象領域を測色する測色部と、を備え、
前記表示制御部は、前記測色対象領域に対応する前記読取画像上の領域である対応測色対象領域の測色結果として、前記測色対象領域の測色結果を前記表示部に表示する測色装置。
【請求項８】
前記設定部は、前記任意の位置に対応する前記基準画像の位置である対応位置おける単位領域の平坦度が閾値以下の場合、当該単位領域を基点として連続し、かつ平坦度が前記閾値以下の単位領域を結合し、前記測色対象領域に設定する請求項７に記載の測色装置。
【請求項９】
前記設定部は、前記任意の位置に対応する前記基準画像の位置である対応位置おける単位領域の平坦度が閾値以下の場合、当該単位領域を基点として連続し、かつ平坦度が前記閾値以下の単位領域であって、前記任意の位置における単位領域との距離が予め定められた距離に収まる単位領域を結合し、前記測色対象領域に設定する請求項７に記載の測色装置。
【請求項１０】
前記基準画像と前記読取画像との位置合わせを行う位置合わせ部を更に備え、
前記測色部は、前記位置合わせ結果に基づいて、前記対応測色対象領域に対する前記測色対象領域の差分となる差分領域を特定し、前記測色対象領域の測色として、当該差分領域を構成する画素の画素値の平均値及び前記測色対象領域を構成する画素の画素値の平均値を取得する請求項７〜９のいずれか１つに記載の測色装置。
【請求項１１】
前記表示制御部は、前記任意の位置における単位領域の平坦度が閾値を超える場合、当該単位領域が測色不可領域である旨を前記表示部に表示する請求項７〜１０のいずれか１つに記載の測色装置。
【請求項１２】
前記平坦度は、標準偏差である請求項７〜１１のいずれか１つに記載の測色装置。
【請求項１３】
印刷物を読み取った画像を取得する取得ステップと、
前記画像を構成する単位領域毎に、当該単位領域の平坦度を算出する算出ステップと、
前記画像を表示部に表示する第１表示制御ステップと、
前記表示部に表示された画像上の任意の位置を指定する入力を受け付ける受付ステップと、
前記任意の位置と前記平坦度とに基づいて、測色対象領域を設定する設定ステップと、
前記測色対象領域を測色する測色ステップと、
前記測色対象領域の測色結果を前記表示部に表示する第２表示制御ステップと、
を含む測色方法。
【請求項１４】
基準画像を取得する基準画像取得ステップと、
前記基準画像に基づく印刷物を読み取った読取画像を取得する読取画像取得ステップと、
前記基準画像を構成する単位領域毎に、当該単位領域の平坦度を算出する算出ステップと、
前記読取画像を表示部に表示する第１表示制御ステップと、
前記表示部に表示された読取画像上の任意の位置を指定する入力を受け付ける受付ステップと、
前記任意の位置と前記平坦度とに基づいて、前記基準画像上に測色対象領域を設定する設定ステップと、
前記測色対象領域を測色する測色ステップと、
前記測色対象領域に対応する前記読取画像上の領域である対応測色対象領域の測色結果として、前記測色対象領域の測色結果を前記表示部に表示する第２表示制御ステップと、
を含む測色方法。
【請求項１５】
印刷物を読み取った画像を取得する取得ステップと、
前記画像を構成する単位領域毎に、当該単位領域の平坦度を算出する算出ステップと、
前記画像を表示部に表示する第１表示制御ステップと、
前記表示部に表示された画像上の任意の位置を指定する入力を受け付ける受付ステップと、
前記任意の位置と前記平坦度とに基づいて、測色対象領域を設定する設定ステップと、
前記測色対象領域を測色する測色ステップと、
前記測色対象領域の測色結果を前記表示部に表示する第２表示制御ステップと、
をコンピュータに実行させるためのプログラム。
【請求項１６】
基準画像を取得する基準画像取得ステップと、
前記基準画像に基づく印刷物を読み取った読取画像を取得する読取画像取得ステップと、
前記基準画像を構成する単位領域毎に、当該単位領域の平坦度を算出する算出ステップと、
前記読取画像を表示部に表示する第１表示制御ステップと、
前記表示部に表示された読取画像上の任意の位置を指定する入力を受け付ける受付ステップと、
前記任意の位置と前記平坦度とに基づいて、前記基準画像上に測色対象領域を設定する設定ステップと、
前記測色対象領域を測色する測色ステップと、
前記測色対象領域に対応する前記読取画像上の領域である対応測色対象領域の測色結果として、前記測色対象領域の測色結果を前記表示部に表示する第２表示制御ステップと、
をコンピュータに実行させるためのプログラム。
【発明の詳細な説明】
【技術分野】
【０００１】
本発明は、測色装置、測色方法及びプログラムに関する。
【背景技術】
【０００２】
従来から、印刷物を電子的に読み取った画像を用いて、当該印刷物の色を測色する測色装置が知られている（例えば、特許文献１、２参照）。
【発明の概要】
【発明が解決しようとする課題】
【０００３】
しかしながら、上述したような従来技術では、印刷物は、１色が所定以上の面積で再現されたパターンを１以上並べた測色用の印刷物が前提となっている。このため上述したような従来技術では、色の変化を伴う印刷物上の領域を測色することが困難であった。
【０００４】
本発明は、上記事情に鑑みてなされたものであり、色の変化を伴う印刷物上の領域であっても測色可能な測色装置、測色方法及びプログラムを提供することを目的とする。
【課題を解決するための手段】
【０００５】
上述した課題を解決し、目的を達成するために、本発明の一態様にかかる測色装置は、印刷物を読み取った画像を取得する取得部と、前記画像を構成する単位領域毎に、当該単位領域の平坦度を算出する算出部と、前記画像を表示部に表示する表示制御部と、前記表示部に表示された画像上の任意の位置を指定する入力を受け付ける受付部と、前記任意の位置と前記平坦度とに基づいて、測色対象領域を設定する設定部と、前記測色対象領域を測色する測色部と、を備え、前記表示制御部は、前記測色対象領域の測色結果を前記表示部に表示する。
【発明の効果】
【０００６】
本発明によれば、色の変化を伴う印刷物上の領域であっても測色可能という効果を奏する。
【図面の簡単な説明】
【０００７】
【図１】図１は、第１実施形態の測色装置のハードウェア構成の一例を示すブロック図である。
【図２】図２は、第１実施形態の測色装置の機能構成の一例を示すブロック図である。
【図３】図３は、第１実施形態の測色対象の画像の一例を示す図である。
【図４】図４は、図３に示す画像の平坦度を明るさに換算して示した図である。
【図５】図５は、表示部に表示された図２に示す画像を示す図である。
【図６】図６は、図５の領域４１を拡大した図である。
【図７】図７は、第１実施形態の測色対象領域の設定手法の例の説明図である。
【図８】図８は、第１実施形態の測色対象領域の上限距離の入力画面例を示す図である。
【図９】図９は、第１実施形態の測色対象領域を設定しない場合の説明図である。
【図１０】図１０は、第１実施形態の測色結果の表示例を示す図である。
【図１１】図１１は、第１実施形態の測色不可時の表示例を示す図である。
【図１２】図１２は、第１実施形態の測色装置で実行される処理の一例を示すフローチャートである。
【図１３】図１３は、第２実施形態の印刷物検査システムの一例を示す模式図である。
【図１４】図１４は、第２実施形態の印刷装置及び印刷物検査装置の構成の一例を示すブロック図である。
【図１５】図１５は、第２実施形態の印刷物検査装置で実行される処理の一例を示すフローチャートである。
【発明を実施するための形態】
【０００８】
以下、添付図面を参照しながら、本発明にかかる測色装置、測色方法及びプログラムの実施形態を詳細に説明する。
【０００９】
（第１実施形態）
図１は、第１実施形態の測色装置１０のハードウェア構成の一例を示すブロック図である。図１に示すように、測色装置１０は、ＣＰＵ（Central  Processing  Unit）やＧＰＵ（Graphics  Processing  Unit）などの制御装置１１と、ＲＯＭ（Read  Only  Memory）やＲＡＭ（Random  Access  Memory）などの主記憶装置１２と、ＨＤＤ（Hard  Disk  Drive）やＳＳＤ（Solid  State  Drive）などの補助記憶装置１３と、ディスプレイなどの表示装置１４と、マウス、キーボード、又はタッチパネルなどの入力装置１５と、通信インタフェースなどの通信装置１６と、を備えており、通常のコンピュータを利用したハードウェア構成となっている。
【００１０】
測色装置１０は、例えば、ＰＣ（Personal  Computer）、タブレット、スマートフォン、及び画像形成装置などが挙げられる。画像形成装置は、複写機、複合機（ＭＦＰ：Multifunction  Peripheral）、及びスキャナ装置などが挙げられる。複合機は、複写機能、印刷機能、スキャナ機能、及びファクシミリ機能のうち少なくとも２つの機能を有するものである。
【００１１】
なお、測色装置１０が画像形成装置である場合、測色装置１０は、上記の構成に加え、例えば、ＩＣ、ＡＳＩＣ（Application  Specific  Integrated  Circuit）、及び各種センサなど画像形成装置特有のハードウェア構成を更に備える。
【００１２】
図２は、第１実施形態の測色装置１０の機能構成の一例を示すブロック図である。図２に示すように、測色装置１０は、取得部２１と、算出部２２と、表示制御部２３と、表示部２４と、入力部２５と、受付部２６と、設定部２７と、測色部２８とを、備える。
【００１３】
取得部２１は、例えば、制御装置１１、主記憶装置１２、及び通信装置１６により実現でき、算出部２２、表示制御部２３、受付部２６、設定部２７、及び測色部２８は、例えば、制御装置１１及び主記憶装置１２により実現でき、表示部２４は、例えば、表示装置１４により実現でき、入力部２５、例えば、入力装置１５により実現できる。
【００１４】
取得部２１は、印刷物を読み取った画像を取得する。取得部２１は、例えば、図３に示すような画像を取得する。取得部２１は、測色装置１０外でスキャナ装置などにより印刷物が電子的に読み取られることで生成された画像を取得してもよいし、測色装置１０内で印刷物を電子的に読み取ることで生成した画像を取得してもよい。
【００１５】
算出部２２は、取得部２１により取得された画像を構成する単位領域毎に、当該単位領域の平坦度を算出する。単位領域は、Ｎ（Ｎ≧１）×Ｎ画素であり、第１実施形態では、１０×１０画素である場合を例に取り説明するが、これに限定されるものではない。また第１実施形態では、平坦度が標準偏差である場合を例に取り説明するが、これに限定されるものではなく、単位領域のばらつきを示す指標であればどのようなものであってもよい。
【００１６】
つまり、第１実施形態では、取得部２１により取得された画像を１０×１０画素の単位領域に分割し、各単位領域の標準偏差を算出する。図４は、図３に示す画像の平坦度を明るさに換算して示した図であり、平坦度が低いほど（平坦でないほど）明るく（白く）、平坦度が高いほど（平坦であるほど）暗く（黒く）なっている。
【００１７】
表示制御部２３は、取得部２１により取得された画像を表示部２４に表示する。
【００１８】
入力部２５は、ユーザからの指示により表示部２４に表示された画像を拡大や縮小する入力を行いながら、測色を行う任意の位置をポインタで指定する入力を行う。
【００１９】
図５は、表示部２４に表示された図２に示す画像を示す図であり、図６は、図５の領域４１を拡大した図であり、ポインタ５１により測色を行う任意の位置が指定されている。
【００２０】
受付部２６は、表示部２４に表示された画像上の任意の位置を指定する入力を受け付ける。
【００２１】
設定部２７は、受付部２６により受け付けられた任意の位置と算出部２２により算出された平坦度とに基づいて、測色対象領域を設定する。
【００２２】
具体的には、設定部２７は、受付部２６により受け付けられた任意の位置における単位領域の平坦度が閾値以下の場合、当該単位領域を基点として連続し、かつ平坦度が当該閾値以下の単位領域を結合し、測色対象領域に設定する。
【００２３】
図７は、第１実施形態の測色対象領域の設定手法の一例の説明図であり、図６に示すポインタ５１で指定された任意の位置における単位領域６１を中心とした各単位領域の平坦度を示している。なお、図７に示す例では、閾値は１０であるとする。このため、設定部２７は、図７に示すように、ハッチングされた単位領域を結合し、測色対象領域に設定する。
【００２４】
なお、設定部２７は、受付部２６により受け付けられた任意の位置における単位領域の平坦度が閾値以下の場合、当該単位領域を基点として連続し、かつ平坦度が当該閾値以下の単位領域であって、当該任意の位置における単位領域との距離が予め定められた距離に収まる単位領域を結合し、測色対象領域に設定してもよい。このようにすれば、ユーザの意図以上に測色対象領域が広大になってしまうことを防止できる。
【００２５】
なお、この場合、予め定められた距離は、例えば、補助記憶装置１３に予め記憶されていてもよいし、ユーザが図８に示すような画面を用いて、入力部２５から入力してもよい。
【００２６】
また、図９に示すように、図６に示すポインタ５１で指定された任意の位置における単位領域７１の平坦度が閾値を超える場合、設定部２７は、測色対象領域を設定しない。なお、図９に示す例でも、閾値は１０であるとする。
【００２７】
測色部２８は、測色対象領域を測色する。具体的には、測色部２８は、測色対象領域の測色として、測色対象領域を構成する画素の画素値の平均値を取得する。例えば、画素値がＲＧＢ値の場合、測色部２８は、測色対象領域を構成する画素のＲＧＢ値の平均値を測色対象領域の測色値としてもよいし、ＲＧＢ値の平均値をＬ＊ａ＊ｂ＊値に変換した値を測色値としてもよい。なお、測色値の測定単位はＲＧＢやＬ＊ａ＊ｂ＊に限定されず、他の単位を用いてもよい。
【００２８】
表示制御部２３は、測色部２８により測色された測色対象領域の測色結果を表示部２４に表示する。図１０は、第１実施形態の測色結果の表示例を示す図である。図１０に示す例では、ポインタ５１により指定された測色を行う任意の位置を中心に、測色対象領域５２が表示され、測色対象領域５２の測色結果５３がＬ＊ａ＊ｂ＊値で示されている。
【００２９】
なお表示制御部２３は、受付部２６により受け付けられた任意の位置における単位領域の平坦度が閾値を超え、設定部２７により測色対象領域が設定されなかった場合、当該単位領域が測色不可領域である旨を、図１１に示すように、表示部２４に表示する。
【００３０】
図１２は、第１実施形態の測色装置１０で実行される処理の一例を示すフローチャートである。
【００３１】
まず、取得部２１は、印刷物を読み取った画像を取得する（ステップＳ１０１）。
【００３２】
続いて、算出部２２は、取得部２１により取得された画像を構成する単位領域毎に、当該単位領域の平坦度を算出する（ステップＳ１０３）。
【００３３】
続いて、表示制御部２３は、取得部２１により取得された画像を表示部２４に表示する（ステップＳ１０５）。
【００３４】
続いて、受付部２６は、入力部２５から、表示部２４に表示された画像上の任意の位置を指定する入力を受け付ける（ステップＳ１０７）。
【００３５】
続いて、設定部２７は、受付部２６により受け付けられた任意の位置における単位領域の平坦度が閾値以下であるか否かを確認する（ステップＳ１０９）。
【００３６】
当該単位領域の平坦度が閾値以下である場合（ステップＳ１０９でＹｅｓ）、設定部２７は、当該単位領域を基点として連続し、かつ平坦度が当該閾値以下の単位領域を結合し、測色対象領域に設定する（ステップＳ１１１）。
【００３７】
続いて、測色部２８は、測色対象領域の測色として、測色対象領域を構成する画素の画素値の平均値を取得する（ステップＳ１１３）。
【００３８】
続いて、表示制御部２３は、測色部２８により測色された測色対象領域の測色結果を表示部２４に表示する（ステップＳ１１５）。
【００３９】
一方、受付部２６により受け付けられた任意の位置における単位領域の平坦度が閾値を超える場合（ステップＳ１０９でＮｏ）、表示制御部２３は、当該単位領域が測色不可領域である旨を表示部２４に表示する（ステップＳ１１７）。
【００４０】
以上のように第１実施形態によれば、指定された任意の位置における平坦度に基づいて、測色が可能であるか否か判定し、測色が可能である場合、当該任意の位置に基づく測色可能領域の画素値の平均値に基づいて測色を行うので、色の変化を伴う印刷物上の領域であっても測色可能である。このため、第１実施形態によれば、ユーザがデザインした風景画や人物画像などのように、色の変化を伴う印刷物上の領域であっても測色できる。
【００４１】
（第２実施形態）
第２実施形態では、印刷物の品質を検査する印刷物検査装置に第１実施形態の測色手法を適用する例について説明する。以下では、上記第１実施形態との相違点の説明を主に行い、上記第１実施形態と同様の機能を有する構成要素については、上記第１実施形態と同様の名称・符号を付し、その説明を省略する。
【００４２】
図１３は、第２実施形態の印刷物検査システムの一例を示す模式図である。図１３に示すように、印刷物検査システムは、印刷装置１００と、印刷物検査装置２００（測色装置の一例）と、スタッカ３００とを、備える。
【００４３】
印刷装置１００は、オペレーションパネル１０１と、感光体ドラム１０３Ｙ、１０３Ｍ、１０３Ｃ、１０３Ｋと、転写ベルト１０５と、二次転写ローラ１０７と、給紙部１０９と、搬送ローラ対１１１と、定着ローラ１１３と、反転パス１１５と、トレイ１１７と、を備える。
【００４４】
オペレーションパネル１０１は、印刷装置１００に対して各種操作入力を行ったり、各種画面を表示したりする操作表示部である。
【００４５】
感光体ドラム１０３Ｙ、１０３Ｍ、１０３Ｃ、１０３Ｋは、それぞれ、作像プロセス（帯電工程、露光工程、現像工程、転写工程、及びクリーニング工程）が行われることによりトナー像が形成され、形成されたトナー像を転写ベルト１０５に転写する。第２実施形態では、感光体ドラム１０３Ｙ上にイエロートナー像が形成され、感光体ドラム１０３Ｍ上にマゼンダトナー像が形成され、感光体ドラム１０３Ｃ上にシアントナー像が形成され、感光体ドラム１０３Ｋ上にブラックトナー像が形成されるものとするが、これに限定されるものではない。
【００４６】
転写ベルト１０５は、感光体ドラム１０３Ｙ、１０３Ｍ、１０３Ｃ、及び１０３Ｋから重畳して転写されたトナー像（フルカラーのトナー画像）を二次転写ローラ１０７の二次転写位置に搬送する。第２実施形態では、転写ベルト１０５には、まず、イエロートナー像が転写され、続いて、マゼンダトナー像、シアントナー像、ブラックトナー像が順次重畳して転写されるものとするが、これに限定されるものではない。
【００４７】
給紙部１０９は、複数の記録紙が重ね合わせて収容されており、記録紙を給紙する。
【００４８】
搬送ローラ対１１１は、給紙部１０９により給紙された記録紙を搬送路ａ上で矢印ｓ方向に搬送する。
【００４９】
二次転写ローラ１０７は、転写ベルト１０５により搬送されたフルカラーのトナー画像を、搬送ローラ対１１１により搬送された記録紙上に二次転写位置で一括転写する。
【００５０】
定着ローラ１１３は、フルカラーのトナー画像が転写された記録紙を加熱及び加圧することにより、フルカラーのトナー画像を記録紙に定着する。
【００５１】
印刷装置１００は、片面印刷の場合、フルカラーのトナー画像が定着された記録紙である印刷物を印刷物検査装置２００へ排紙する。一方、印刷装置１００は、両面印刷の場合、フルカラーのトナー画像が定着された記録紙を反転パス１１５へ送る。
【００５２】
反転パス１１５は、送られた記録紙をスイッチバックすることにより記録紙の表面・裏面を反転して矢印ｔ方向に搬送する。反転パス１１５により搬送された記録紙は、搬送ローラ対１１１により再搬送され、二次転写ローラ１０７により前回と逆側の面にフルカラーのトナー画像が転写され、定着ローラ１１３により定着され、印刷物として、トレイ１１７へ排紙される。
【００５３】
印刷物検査装置２００は、読取部２０７Ａ、２０７Ｂと、給紙トレイ２３０と、オペレーションパネル２４０と、を備える。
【００５４】
オペレーションパネル２４０は、印刷物検査装置２００に対して各種操作入力を行ったり、各種画面を表示したりする操作表示部である。
【００５５】
給紙トレイ２３０は、検査者が印刷装置１００により生成された印刷物（トレイ１１７に排紙された印刷物）がセットされ、オペレーションパネル２４０から検査開始操作が行われると、印刷物が給紙される。
【００５６】
読取部２０７Ａは、給紙トレイ２３０から給紙された印刷物の一方の面を電子的に読み取り、読取部２０７Ｂは、給紙トレイ２３０から給紙された印刷物の他方の面を電子的に読み取る。読取部２０７Ａ、２０７Ｂは、例えば、ラインスキャナ等により実現できる。そして印刷物検査装置２００は、読み取りが完了した印刷物をスタッカ３００へ排紙する。
【００５７】
スタッカ３００は、トレイ３０１を備える。スタッカ３００は、印刷物検査装置２００により排紙された印刷物をトレイ３０１にスタックする。
【００５８】
図１４は、第２実施形態の印刷装置１００及び印刷物検査装置２００の構成の一例を示すブロック図である。図１４に示すように、印刷装置１００は、ＲＩＰ（Raster  Image  Processor）部１２１と、印刷制御部１２３と、印刷部１２５とを備える。印刷物検査装置２００は、取得部２０１と、基準画像生成部２０３と、バッファ２０５と、読取部２０７と、読取画像取得部２０９と、検査部２１１（位置合わせ部の一例）と、算出部２１３と、表示制御部２１５と、表示部２４と、入力部２５と、受付部２６と、設定部２１７と、測色部２１９とを、備える。
【００５９】
なお、印刷物検査装置２００の電気的なハードウェア構成については、図１と同様であるものとするが、これに限定されるものではない。
【００６０】
取得部２０１は、例えば、制御装置１１、主記憶装置１２、及び通信装置１６により実現でき、基準画像生成部２０３、読取画像取得部２０９、及び検査部２１１は、例えば、制御装置１１、及び主記憶装置１２により実現でき、バッファ２０５は、例えば、主記憶装置１２により実現でき、読取部２０７は、例えば、読取部２０７Ａ、２０７Ｂにより実現できる。なお、基準画像生成部２０３及び検査部２１１については、ＡＳＩＣなどのハードウェアで実現してもよい。算出部２１３、表示制御部２１５、設定部２１７、測色部２１９については、それぞれ第１実施形態の算出部２２、表示制御部２３、設定部２７、測色部２８に対応するため、実現するハードウェアは第１実施形態と同様である。
【００６１】
なお第２実施形態では、印刷装置１００と印刷物検査装置２００とは、ＵＳＢ（Universal  Serial  Bus）やＰＣＩｅ（Peripheral  Component  Interconnect  Express）等のローカルなインタフェースによって接続されていることを想定しているが、印刷装置１００と印刷物検査装置２００との接続形態は、これに限定されるものではなく、例えば、ＬＡＮ（Local  Area  Network）などのネットワークで接続されていてもよい。
【００６２】
ＲＩＰ部１２１は、ホスト装置などの外部装置から印刷データを受け取り、受け取った印刷データから、印刷物の生成元となる（印刷の基礎となる）元画像を生成する。具体的には、ＲＩＰ部１２１は、印刷データをＲＩＰ処理し、元画像としてＲＩＰ画像（ビットマップ画像）を生成する。
【００６３】
第２実施形態では、印刷データは、PostScript（登録商標）などのページ記述言語（ＰＤＬ：Page  Description  Language）で記述されたデータやＴＩＦＦ（Tagged  Image  File  Format）形式の画像データなどを含んで構成されるが、これに限定されるものではない。また第２実施形態では、元画像は、ＣＭＹＫのＲＩＰ画像データであり、Ｃ（Ｃｙａｎ）、Ｍ（ＭＡｇｅｎｔａ）、Ｙ（Ｙｅｌｌｏｗ）、Ｋ（Ｂｌａｃｋ）それぞれのＲＩＰ画像データの各画素が２ｂｉｔの１２００ｄｐｉであるものとするが、これに限定されるものではない。
【００６４】
印刷制御部１２３は、ページ記述言語で記述されたデータから特定される印刷ジョブの情報やＲＩＰ部１２１により生成された元画像を印刷物検査装置２００へ送信するとともに、元画像を印刷部１２５へ送信する。また印刷制御部１２３は、印刷物検査装置２００から送信される（フィードバックされる）欠陥情報を用いて、例えば、スタッカ３００に対して品質検査に合格しなかった印刷物の排紙先の指定や品質検査に合格しなかった印刷物へのマーキングを行ったり、印刷部１２５に対して差し替え印刷を指示したりする。
【００６５】
なおＲＩＰ部１２１及び印刷制御部１２３は、例えば、ＣＰＵなどの処理装置にプログラムを実行させること、即ち、ソフトウェアにより実現してもよいし、ＩＣやＡＳＩＣなどのハードウェアにより実現してもよいし、ソフトウェア及びハードウェアを併用して実現してもよい。
【００６６】
印刷部１２５は、作像プロセスなどの印刷処理プロセスを実行し、元画像に基づく印刷画像を記録紙に印刷することで、印刷物を生成する。つまり、印刷部１２５は、元画像に基づいて、印刷物を生成する。
【００６７】
第２実施形態では、印刷部１２５は、感光体ドラム１０３Ｙ、１０３Ｍ、１０３Ｃ、１０３Ｋ、転写ベルト１０５、二次転写ローラ１０７、及び定着ローラ１１３などにより実現されるが、これに限定されるものではない。このように第２実施形態では、電子写真方式で画像を印刷するが、これに限定されず、インクジェット方式で画像を印刷するようにしてもよい。
【００６８】
第２実施形態では、印刷装置１００が、ＲＩＰ部１２１を備える例について説明するが、これに限定されず、ＤＦＥ（Digital  Front  End）など印刷装置１００と独立した装置がＲＩＰ部１２１を備えるようにしてもよい。この場合、印刷ジョブの情報や元画像の印刷物検査装置２００への送信は、ＲＩＰ部１２１が行うようにしてもよい。
【００６９】
取得部２０１は、印刷部１２５により生成された印刷物を構成する元画像や印刷ジョブの情報を取得する。具体的には、取得部２０１は、印刷装置１００（印刷制御部１２３）から、Ｃ、Ｍ、Ｙ、ＫそれぞれのＲＩＰ画像を取得する。
【００７０】
基準画像生成部２０３は、取得部２０１により取得された元画像に基づいて基準画像を生成する。
【００７１】
具体的には、基準画像生成部２０３は、取得部２０１により取得されたＣ、Ｍ、Ｙ、ＫのＲＩＰ画像に対し、多値変換処理、平滑化処理、解像度変換処理、及び色変換処理などの各種画像処理を施し、基準画像を生成する。
【００７２】
第２実施形態では、基準画像は、ＲＧＢの画像データであり、Ｒ、Ｇ、Ｂそれぞれの画像データの各画素が８ｂｉｔの２００ｄｐｉであるものとするが、これに限定されるものではない。
【００７３】
バッファ２０５は、基準画像生成部２０３により生成された基準画像を記憶する。
【００７４】
読取部２０７は、印刷部１２５により生成された印刷物を読み取って、読取画像を生成する。具体的には、読取部２０７は、元画像に基づく印刷画像が印刷された印刷物から、当該印刷画像を電子的に読み取って読取画像を生成する。
【００７５】
第２施形態では、読取画像は、ＲＧＢの画像データであり、Ｒ、Ｇ、Ｂそれぞれの画像データの各画素が８ｂｉｔの２００ｄｐｉであるものとするが、これに限定されるものではない。
【００７６】
読取画像取得部２０９は、読取部２０７により生成された読取画像を取得する。
【００７７】
検査部２１１は、読取画像取得部２０９により取得された読取画像と基準画像生成部２０３により生成された基準画像とを比較して、印刷装置１００により生成された印刷物の品質を検査する。
【００７８】
具体的には、検査部２１１は、読取画像と基準画像との位置合わせを行い、画素単位で比較し、ＲＧＢ各色８ｂｉｔの画素値の差分値を画素毎に算出する。そして検査部２１１は、画素毎の差分値と品質検査用の閾値との大小関係に基づいて、印刷装置１００により生成された印刷物の品質を検査し、印刷装置１００に送信（フィードバック）する。
【００７９】
算出部２１３は、基準画像生成部２０３により生成された基準画像を構成する単位領域毎に、当該単位領域の平坦度を算出する。算出部２１３については、算出対象の画像が基準画像である点を除き、第１実施形態の算出部２２と同様であるため、詳細な説明は省略する。
【００８０】
表示制御部２１５は、読取画像取得部２０９により取得された読取画像を表示部２４に表示する。
【００８１】
入力部２５及び受付部２６については、第１実施形態と同様であるため、詳細な説明は省略する。
【００８２】
設定部２１７は、受付部２６により受け付けられた任意の位置に対応する基準画像の位置である対応位置おける単位領域の平坦度が閾値以下の場合、当該単位領域を基点として連続し、かつ平坦度が当該閾値以下の単位領域を結合し、測色対象領域に設定する。
【００８３】
なお、基準画像の対応位置は、受付部２６により受け付けられた読取画像上の任意の位置を示す座標に対応する基準画像の座標の位置とすればよい。読取画像上の任意の位置を示す座標に対応する基準画像の座標の位置は、読取画像上の任意の位置を示す座標と一致する基準画像上の座標の位置としてもよいし、読取画像上の任意の位置を示す座標と一致する基準画像上の座標の位置から、検査部２１１による位置合わせ結果分ずらした位置としてもよい。
【００８４】
測色対象領域に設定手法については、第１実施形態の設定部２７と同様であるため、詳細な説明は省略する。
【００８５】
測色部２１９は、測色対象領域を測色する。
【００８６】
具体的には、測色部２１９は、検査部２１１による位置合わせ結果に基づいて、測色対象領域に対応する読取画像上の領域である対応測色対象領域に対する当該測色対象領域の差分となる差分領域を特定する。
【００８７】
対応測色対象領域は、測色対象領域を示す座標と一致する読取画像上の座標の位置から、検査部２１１による位置合わせ結果分ずらした位置である。差分領域は、対応測色対象領域の座標と一致する基準画像上の座標の領域と測色対象領域との差分となる領域であり、両領域が重ならない部分の領域である。
【００８８】
そして測色部２１９は、色対象領域の測色として、当該差分領域を構成する画素の画素値の平均値及び測色対象領域を構成する画素の画素値の平均値を取得する。具体的には、測色部２１９は、測色対象領域を構成する画素の画素値の平均値から、差分領域のうち測色対象領域に含まれる部分の領域である第１差分領域を構成する画素の画素値の平均値を減算するとともに、差分領域のうち測色対象領域に含まれない部分の領域である第２差分領域を構成する画素の画素値の平均値を加算することで、測色対象領域を測色する。
【００８９】
但し、測色部２１９は、検査部２１１による位置合わせ結果を用いず、測色対象領域を構成する画素の画素値の平均値に基づいて測色対象領域を測色してもよい。
【００９０】
なお、測色値の測定単位については、第１実施形態と同様であるため、詳細な説明は省略する。
【００９１】
表示制御部２１５は、対応測色対象領域の測色結果として、測色対象領域の測色結果を表示部２４に表示する。なお、測色結果の表示手法については、第１実施形態と同様であるため、詳細な説明は省略する。
【００９２】
図１５は、第２実施形態の印刷物検査装置２００で実行される処理の一例を示すフローチャートである。
【００９３】
まず、基準画像生成部２０３は、取得部２０１により取得された元画像に基づいて基準画像を生成する（ステップＳ２０１）。
【００９４】
続いて、読取部２０７は、元画像に基づく印刷画像が印刷された印刷物から当該印刷画像を電子的に読み取って読取画像を生成し、読取画像取得部２０９は、読取部２０７により生成された読取画像を取得する（ステップＳ２０３）。
【００９５】
続いて、算出部２１３は、基準画像生成部２０３により生成された基準画像を構成する単位領域毎に、当該単位領域の平坦度を算出する（ステップＳ２０５）。
【００９６】
続いて、表示制御部２１５は、読取画像取得部２０９により取得された読取画像を表示部２４に表示する（ステップＳ２０７）。
【００９７】
続いて、受付部２６は、入力部２５から、表示部２４に表示された読取画像上の任意の位置を指定する入力を受け付ける（ステップＳ２０９）。
【００９８】
続いて、設定部２１７は、受付部２６により受け付けられた任意の位置に対応する基準画像の位置である対応位置における単位領域の平坦度が閾値以下であるか否かを確認する（ステップＳ２１１）。
【００９９】
当該単位領域の平坦度が閾値以下である場合（ステップＳ２１１でＹｅｓ）、設定部２１７は、当該単位領域を基点として連続し、かつ平坦度が当該閾値以下の単位領域を結合し、測色対象領域に設定する（ステップＳ２１３）。
【０１００】
続いて、測色部２１９は、検査部２１１による位置合わせ結果に基づいて、測色対象領域に対応する読取画像上の領域である対応測色対象領域に対する当該測色対象領域の差分となる差分領域を特定する（ステップＳ２１５）。
【０１０１】
続いて、測色部２１９は、差分領域を構成する画素の画素値の平均値と測色対象領域を構成する画素の画素値の平均値とに基づいて、測色対象領域を測色する（ステップＳ２１７）。
【０１０２】
続いて、表示制御部２１５は、対応測色対象領域の測色結果として、測色対象領域の測色結果を表示部２４に表示する（ステップＳ２１９）。
【０１０３】
一方、受付部２６により受け付けられた任意の位置に対応する基準画像の位置である対応位置おける単位領域の平坦度が閾値を超える場合（ステップＳ２１１でＮｏ）、表示制御部２１５は、測色不可領域である旨を表示部２４に表示する（ステップＳ２２１）。
【０１０４】
以上のように第２実施形態においても、第１実施形態と同様の効果を奏することができる。特に第２実施形態によれば、読取画像ではなく基準画像を測色するため、読取画像を読み取る際に生じたノイズ等の影響を受けず、測色精度を高めることができる。また第２実施形態によれば、読取画像と基準画像との位置ずれも考慮して測色できるため、測色精度をより高めることができる。
【０１０５】
（プログラム）
上記各実施形態の測色装置１０及び印刷物検査装置２００（以下、「上記各実施形態の各装置」と称する）で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【０１０６】
また、上記各実施形態の各装置で実行されるプログラムを、インターネット等のネットワークに接続されたコンピュータ上に格納し、ネットワーク経由でダウンロードさせることにより提供するようにしてもよい。また、上記各実施形態の各装置で実行されるプログラムを、インターネット等のネットワーク経由で提供または配布するようにしてもよい。また、上記各実施形態の各装置で実行されるプログラムを、ＲＯＭ等に予め組み込んで提供するようにしてもよい。
【０１０７】
上記各実施形態の各装置で実行されるプログラムは、上述した各部をコンピュータ上で実現させるためのモジュール構成となっている。実際のハードウェアとしては、例えば、ＣＰＵがＲＯＭからプログラムをＲＡＭ上に読み出して実行することにより、上記各機能部がコンピュータ上で実現されるようになっている。
【符号の説明】
【０１０８】
１０  測色装置
１１  制御装置
１２  主記憶装置
１３  補助記憶装置
１４  表示装置
１５  入力装置
１６  通信装置
２１  取得部
２２  算出部
２３  表示制御部
２４  表示部
２５  入力部
２６  受付部
２７  設定部
２８  測色部
１００  印刷装置
１０１  オペレーションパネル
１０３Ｙ、１０３Ｍ、１０３Ｃ、１０３Ｋ  感光体ドラム
１０５  転写ベルト
１０７  二次転写ローラ
１０９  給紙部
１１１  搬送ローラ対
１１３  定着ローラ
１１５  反転パス
１１７  トレイ
１２１  ＲＩＰ部
１２３  印刷制御部
１２５  印刷部
２００  印刷物検査装置
２０１  取得部
２０３  基準画像生成部
２０５  バッファ
２０７  読取部
２０９  読取画像取得部
２１１  検査部
２１３  算出部
２１５  表示制御部
２１７  設定部
２１９  測色部
２３０  給紙トレイ
２４０  オペレーションパネル
３００  スタッカ
３０１  トレイ
【先行技術文献】
【特許文献】
【０１０９】
【特許文献１】特開２０００−３５６５５３号公報
【特許文献２】特開２００６−８６８４３号公報
【図１】
2016176822.tif 000003
【図２】
2016176822.tif 000004
【図７】
2016176822.tif 000005
【図８】
2016176822.tif 000006
【図９】
2016176822.tif 000007
【図１２】
2016176822.tif 000008
【図１３】
2016176822.tif 000009
【図１４】
2016176822.tif 000010
【図１５】
2016176822.tif 000011
【図３】
2016176822.tif 000012
【図４】
2016176822.tif 000013
【図５】
2016176822.tif 000014
【図６】
2016176822.tif 000015
【図１０】
2016176822.tif 000016
【図１１】
2016176822.tif 000017